(57)【要約】【課題】簡単に使用できるとともに、被介護者の徘徊が防止できる保護用ロックを提供する。【解決手段】徘徊防止用の保護用ロック１０は、扉内側スイッチ１４と送信アンテナ２５とを有し、扉内側スイッチ１４がおされたとき、送信アンテナ２５によって周囲に磁場が形成される。磁場の周囲にＩＤタグがあれば、ＩＤタグがこの磁場によって起動されて、ＩＤタグは所定の信号を出力する。保護用ロック１０はＩＤタグからの所定の信号を受信すれば扉のロックを解除し、信号を受信しなければ、その旨を外部に通知する。【選択図】図２
0003200966.tif 000002
【実用新案登録請求の範囲】
【請求項１】
外部に設けられ、所定の起動信号を受けて自分のＩＤを出力するＩＤタグと協働して扉のロックの解除動作を行う保護用ロックであって、
前記保護用ロックのロックの解除を指示する扉内側スイッチと、
前記起動信号を出力するための送信アンテナと、を有し、
前記保護用ロックは、前記ＩＤタグからのＩＤを受信したとき前記保護用ロックのロックの解除動作を行い、
前記ＩＤタグからのＩＤを受信しなかったときは、前記保護用ロックのロックの解除動作を行なわず、前記扉内側スイッチのロック解除指示が行われた旨の信号を外部に出力する、保護用ロック。
【請求項２】
前記扉の振動を検出する振動検出器を含む、請求項１に記載の保護用ロック。
【請求項３】
前記振動検出器の振動検出を受けて、外部に接点信号を出力する接点信号出力端子を含む、請求項２に記載の保護用ロック。
【請求項４】
前記振動検出器の振動検出を受けて、警報を発するブザーを含む、請求項２に記載の保護用ロック。
【請求項５】
外部に設けられ、所定の起動信号を受けて自分のＩＤを出力するＩＤタグと協働して動作を行う保護用ロックであって、
前記保護用ロックのロックの解除を指示する扉内側スイッチと、
前記起動信号を出力するための送信アンテナと、を有し、
前記保護用ロックは、前記ＩＤタグからのＩＤを受信しなかったときは、前記扉内側スイッチのロック解除指示が行われた旨の信号を外部に出力する、保護用ロック。
【考案の詳細な説明】
【技術分野】
【０００１】
この考案は保護用ロックに関し、特に、被介護者の徘徊が防止できる保護用ロックに関する。
【背景技術】
【０００２】
この考案に興味のある介護支援システムがたとえば、特開２０１２−１５０７３７号公報（特許文献１）に開示されている。
【０００３】
特許文献１によれば、介護施設において、無線通信を使用して遠隔自動監視を行って、被介護者の支援をしている。
【先行技術文献】
【特許文献】
【０００４】
【特許文献１】特開２０１２−１５０７３７号公報
【考案の概要】
【考案が解決しようとする課題】
【０００５】
従来の介護支援システムは上記のように構成されていた。このような構成であると、介護施設内に、アドホック無線ネットワークを構築し、終端装置として各種センサーを、可搬機器、固定機器、窓、扉、出入口に取り付け、更に、介護対象者、介護者に装着し、可搬機器、固定機器、介護対象者、介護者について実時間監視と記録を行い、電話、電子メール、各種通報機器などと連動し、統合された介護支援システムとする必要があり、システムが大掛かりになるとともに費用がかかり、簡単に使用ができない、という問題があった。
【０００６】
この考案は上記のような問題点を解消するためになされたもので、簡単に使用できるとともに、被介護者の徘徊が防止できる保護用ロックを提供することを目的とする。
【課題を解決するための手段】
【０００７】
この考案に係る保護用ロックは、外部に設けられ、所定の起動信号を受けて自分のＩＤを出力するＩＤタグと協働して、扉の保護用ロックの解除動作を行う。保護用ロックは、ロックの解除を指示する扉内側スイッチと、起動信号を出力するための送信アンテナとを有する。扉内側スイッチは、ＩＤタグからのＩＤを受信したときロックの解除動作を行い、ＩＤタグからのＩＤを受信しなかったときは、ロックの解除動作を行なわず、扉内側スイッチの開閉指示が行われた旨の信号を外部に出力する。
【０００８】
好ましくは、扉の振動を検出する振動検出器を含む。
【０００９】
さらに好ましくは、振動検出器の振動検出を受けて、外部に接点信号を出力する接点信号出力端子を含む。
【００１０】
振動検出器の振動検出を受けて、警報を発するブザーを含んでもよい。
【００１１】
この考案の他の局面においては、保護用ロックは、外部に設けられ、所定の起動信号を受けて自分のＩＤを出力するＩＤタグと協働して動作を行う。保護用ロックは、ロックの解除を指示する扉内側スイッチと、起動信号を出力するための送信アンテナと、を有し、保護用ロックは、ＩＤタグからのＩＤを受信しなかったときは、扉内側スイッチのロック解除指示が行われた旨の信号を外部に出力する。
【考案の効果】
【００１２】
徘徊者はＩＤタグを保持せず、介護者のみがＩＤタグを有している。介護者はＩＤタグを有しており、扉内側スイッチを押すと、自由にロックを解除できる。徘徊者はＩＤタグを有していないため、扉内側スイッチを押してもロックは解除されず、その旨が介護者に通知される。
【００１３】
その結果、安価に、被介護者の徘徊が防止できる保護用ロックを提供できる。
【図面の簡単な説明】
【００１４】
【図１】保護用ロックの全体構成を示す斜視図である。
【図２】保護用ロックの全体構成を示すブロック図である。
【図３】ＩＤタグの構成を示すブロック図である。
【図４】保護用ロックが取り付けられる一対の扉を示す図である。
【図５】図４に示した扉の外側を示す図である。
【図６】扉の内外に設けられたスイッチが作動された場合の保護用ロックの動作を示すフローチャートである。
【図７】振動検知器が振動を検知した場合の動作を示すフローチャートである。
【考案を実施するための形態】
【００１５】
以下この考案の一実施の形態を、図面を参照して説明する。図１は、この考案に係る徘徊を防止するための保護用ロックの全体構成を示す斜視図である。図１を参照して、保護用ロック１０は、全体として、幅の狭い直方体状のケース１１と、ケース１１内に収容された電磁コイルで構成された送信アンテナ２５と、電池（ここでは３個の電池が示されている）１３と、保護用ロック１０のロックの解除を指示する扉内側スイッチ１４と、保護用ロック１０が取付られた扉の振動を検出する振動検知器１５とを含む。この保護用ロック１０は、ＩＤタグからの信号も受けて作動する。
【００１６】
図１においては、保護用ロック１０の矩形状の一方面から突出後退自在のラッチ１６が突出した状態を示している。このラッチ１６は扉内側スイッチ１４に応答して突出または後退するソレノイドの鉄心であってもよい。
【００１７】
送信アンテナ２５は、電池１３によって周囲に磁場を形成し、周囲にＩＤタグが近接した時にＩＤタグを起動する。
【００１８】
図２は保護用ロック１０の全体構成を示すブロック図である。図２を参照して、保護用ロック１０は、保護用ロック１０全体を制御する制御器２１を含む。制御器２１には、受信部２２と、送信部２４と、振動検知器１５と、ラッチ駆動回路２６と、接点信号出力回路２９と、ブザー３０と、扉内側スイッチ１４と、扉外側スイッチ２８と、電池１３とが接続されている。
【００１９】
接点信号出力回路２９は、外部機器の接点入力として使用される。具体的には、扉の近傍に監視カメラを設けておき、その監視カメラの画像を、例えば、外部のスマートフォン等に送信したり、外部の通信機器に通知等を行う。
【００２０】
受信部２２には受信アンテナ２３が接続され、送信部２４には送信アンテナ２５が接続されている。ラッチ駆動回路２６にはラッチアクチュエータ２７を介してラッチ１６が接続されている。
【００２１】
図３はＩＤタグ４０の構成を示すブロック図である。図３を参照して、ＩＤタグ４０は、ＩＤタグ４０全体を制御する制御器４１と、制御器４１に接続された受信アンテナ４２および送信アンテナ４３と、制御器４１に電力を供給する電池４４とを含む。
【００２２】
図４は保護用ロック１０が取り付けられる一対の扉を示す図である。扉は固定側の扉２０ｂと、開閉側の扉２０ａとを含む。保護用ロック１０は、開閉側の扉２０ａの端面を挟むように装着可能な、平面視「コ」の字状の金具１７の一方側（内側）に固定されている。金具１７は、扉２０ａに対して、両面テープ等を用いて装着してもよい。従って、保護用ロック１０は既設の扉にも装着可能である。
【００２３】
図４に示すように、扉内側スイッチ１４が扉の内部に露出するように開閉側の扉２０aに装着されている。固定側の扉２０ｂには、保護用ロック１０のラッチ１６が突出したときにそれに係合する受穴１２が設けられている。それによって、一対の扉の開閉が確実に行われる。
【００２４】
なお、扉には、保護用ロック１０以外の通常の鍵３１を設けてもよい。
【００２５】
図５は図４に示した開閉側の扉２０ａの図２に示した側の扉の外側を示す図である。図５を参照して、扉２０ａの外側にも扉２０ａの外側スイッチ２８が金具１７に設けられている。
【００２６】
次に、図１〜図５に示した保護用ロック１０の使用方法について説明する。
【００２７】
保護用ロック１０は介護施設や一般家庭において、徘徊老人や幼児等が居住する領域の内部とその外部との境界に設けられた扉２０ａの内側に保護用ロック１０の扉内側スイッチ１４が面した状態で取り付けられている。
【００２８】
また、被介護者である徘徊老人等は所定のＩＤタグを有さず、徘徊老人等を介護する介護者は所定のＩＤタグ４０を有しているものとする。
【００２９】
上記したように、保護用ロック１０は送信アンテナ２５を有しており、これによって保護用ロック１０の近傍（径として約１ｍ程度）のみにおいて磁場が発生される。ＩＤタグ４０は、この磁場を検出して（磁場によって起動され）、所定の信号（ＩＤ番号等）を出力する。
【００３０】
保護用ロック１０はＩＤタグからの所定の信号を受信すればソレノイドを駆動してラッチ１６を作動させ、ロックの解除作動を行う。ＩＤタグからの信号を受信しなければ、ソレノイドが駆動せず、ラッチ１６が作動しない。しかしながら、被介護者がロックの解除の指示動作を行えばその振動を振動検出器１５が検出し、ブザー３０を鳴らしたり、接点信号出力回路２９を介して外部機器に通知する。
【００３１】
したがって、ＩＤタグ４０を保持している介護者等は、保護用ロック１０の扉内側スイッチ１４および外側スイッチ２８を用いて、通常の鍵と同様に保護用ロック１０を使用できる。なお、外側スイッチは、ＩＤタグが無くともスイッチを押す事で誰でもが保護用ロック１０の解除が出来るが、振動によりブザーや外部機器へ通知できる。
【００３２】
一方、ＩＤタグを有していない徘徊老人や幼児等はＩＤタグを保持していないため、扉内側スイッチ１４を押しても保護用ロック１０は作動しない。保護用ロック１０は振動検知器１５を用いて上記のように作動する。
【００３３】
次に、介護者や被介護者が保護用ロックを使用する場合の具体的な処理について図６および図７の保護用ロック１０の動作を示すフローチャートを参照して説明する。図６は扉の内外に設けられたスイッチが作動された場合の保護用ロックの動作を示すフローチャートであり、図７は、振動検知器が振動を検知した場合の動作を示すフローチャートである。
【００３４】
図６を参照して、扉の内外に設けられたスイッチが作動された場合は、まず、内側スイッチ１４が押されたか否かを判断し、押されたと判断した時（Ｓ１１）は、送信部２４は送信アンテナ２５よりＩＤタグ４０の起動信号を送信する（Ｓ１２）。ＩＤタグ４０はこの起動信号を受信アンテナ４２で受信し（Ｓ２１）、送信アンテナ４３から応答信号を送信する（Ｓ２２）。保護用ロック１０の受信アンテナ２３および受信部２４はこれを受けて、制御器２１はＩＤタグ４０からの信号の真偽を判定する（Ｓ１３）。Ｓ１３で「真」であると判断した時は（Ｓ１３でＹＥＳ），ラッチ駆動回路２６を作動して、ラッチアクチュエータ２７を作動させ、ラッチ１６と受穴（ラッチ受け具）１２との嵌合が外れる（Ｓ１４、Ｓ１５）。その結果、扉に装着された保護用ロック１０のロックが解除される。
【００３５】
次に、振動検知器１５が振動を検知した場合について説明する。図７を参照して、被介護者が扉から外出しようとして内側スイッチ１４を押すと、振動検出器１５が扉の振動を検出する。このとき、被介護者はＩＤタグを有していないので、タグ無検出で扉を開けようとしていると判断される（Ｓ３１でＹＥＳ）。この時は、接点信号出力回路２９をＯＮし、一定時間の経過を待って、接点信号をＯＦＦする（Ｓ３２〜Ｓ３４）。一方で、この間に、ブザー３０を鳴動させ、一定時間経過を待って、ブザー３０をＯＦＦする（Ｓ３５〜Ｓ３７）。この場合、基本的に扉のロックの解除動作をしないため、扉の開閉はできない。
【００３６】
なお、介護者が扉を開ける場合等、Ｓ３１でＩＤタグからの信号を受ければ、ＩＤタグを検出しているため（Ｓ３１でＮＯ），処理を終了する（Ｓ３９）。
【００３７】
上記実施の形態においては、ＩＤタグを有しない非介護者が扉のロックを解除しようとしたときは、ロックは解除されず、ブザーを鳴動させたり、近傍に設けられたカメラで画像を撮影し、それをスマートフォン等に送信する場合について説明したが、これに限らず、扉内側スイッチ１４のロック解除指示が行われたり、扉の振動を検出した旨の信号を外部に出力さえすれば、任意の処理を行ってもよい。
【００３８】
また、上記実施の形態においては、送受信距離が１ｍ程度のＩＤタグを用いた場合について説明したが、これに限らず、送受信距離が１０ｃｍ内外のパッシブ型のＩＤタグを使用してもよい。
【００３９】
また、上記実施の形態においては、保護用ロック１０が扉をロックするための機構（ラッチとそれを駆動するアクチュエータ）を有する場合について説明したが、これに限らず、これらの扉のロック機構は既存の鍵を利用し、扉の開閉指示があった旨を外部に通報する機能のみを有するようにしてもよい。
【００４０】
この場合、ロックの解除を指示する扉内側スイッチ１４が作動されてもＩＤタグからのＩＤを受信しなかったときには、扉内側スイッチのロック解除指示が行われた旨の信号を外部に出力する接点信号出力回路２９を作動して、外部のカメラや、玄関チャイム等を駆動する。
【００４１】
図面を参照してこの考案の実施形態を説明したが、本考案は、図示した実施形態に限定されるものではない。本考案と同一の範囲内において、または均等の範囲内において、図示した実施形態に対して種々の変更を加えることが可能である。
【産業上の利用可能性】
【００４２】
この考案によれば、安価に被介護者の徘徊が防止できる保護用ロックを提供できるため、徘徊防止用のロックとして、有利に利用できるとともに、外部機器（例えば、カメラからスマホへの画像転送）と接続して、被介護者の見守りが広範囲で可能になる。また、ＩＤタグ番号の識別により、入退室管理等の広い分野で利用が見込まれる。
【符号の説明】
【００４３】
１０  保護用ロック、１１  ケース、１２  受穴、１３  電池、１４  扉内側スイッチ、１５  振動検知器、１６  ラッチ、１７  金具、２１  制御器、２２  受信部、２３  受信アンテナ、２４  送信部、２５  送信アンテナ、２６  ラッチ駆動回路、２７  ラッチアクチュエータ、２８  内側スイッチ、２９  接点信号出力回路、３０  ブザー、３１  鍵、４０  ＩＤタグ、４１  制御器、４２  受信アンテナ、４３  送信アンテナ、４４  電池。
【図１】
0003200966.tif 000003
【図２】
0003200966.tif 000004
【図３】
0003200966.tif 000005
【図４】
0003200966.tif 000006
【図５】
0003200966.tif 000007
【図６】
0003200966.tif 000008
【図７】
0003200966.tif 000009